Podtech/llm-jp-corpus-v4-ja_patent huggingface dataset:
(57)【要約】      （修正有）【課題】メガネフレームの保持の確実さとはずしやすさとを両立させる。【構成】装用者の耳の後方上部に達する様に緩く弯曲し、前方側には軸芯に沿ってメガネフレームのテンプル後部を挿入する長孔が形成され、後方寄りの下部には軸受けを有する耳掛け部本体と；前記耳掛け本体とほぼ同じ曲率で弓形に弯曲し、外縁中央付近には前記軸受けに軸支される枢支部を有し、前記耳掛け部本体に対して６０°〜１００°の相対角度で揺動自在に軸支され、前方部分が固定手段によって耳掛け部本体下面に当接した状態において固定出来る様になっている耳掛け可動部；とからメガネの耳掛け部を構成した。【選択図】図１
0003125024.tif 000002
【実用新案登録請求の範囲】
【請求項１】
装用者の耳の後方上部に達する様に緩く弯曲し、前方側には軸芯に沿ってメガネフレームのテンプル後部を挿入する長孔が形成され、後方寄りの下部には軸受けを有する耳掛け部本体と；前記耳掛け本体とほぼ同じ曲率で弓形に弯曲し、外縁中央付近には前記軸受けに軸支される枢支部を有し、前記耳掛け部本体に対して６０°〜１００°の相対角度で揺動自在に軸支され、前方部分が固定手段によって耳掛け部本体下面に当接した状態において固定出来る様になっている耳掛け可動部；とからなることを特徴とするメガネの耳掛け部。
【考案の詳細な説明】
【技術分野】
【０００１】
この考案はメガネの耳掛け部、詳しくは、掛けはずしが容易であるにもかかわらず、耳への固定が確実強固に行えるメガネの耳掛け部に関するものである。
【背景技術】
【０００２】
メガネフレームの多くは、円弧状に弯曲した耳掛け部を装用者の耳の上部から後方に掛け回すことにより、固定する構造となっている。
【特許文献１】なし
【非特許文献１】なし
【考案の開示】
【考案が解決しようとする課題】
【０００３】
従来のメガネフレームにおいては、確実な保持とはずしやすさとは両立しないのが普通であり、確実な保持を意図して耳掛け部を耳の後方から下部にまで達する様に構成した場合は、はずすのが容易でなくなり、咄嗟の場合にはずせないという不都合もあった。一方、耳掛け部の弯曲範囲を小さくし、耳の後部上方までに止めた場合は、はずしやすくはなるが、保持が不十分となり、装用中の振動やショックなどによってメガネにずれや脱落が生じることもあった。
【０００４】
本考案者はメガネの耳掛け部に対する相反する要求、つまり確実な保持とはずしやすさという二つの要求を共に満足させることが出来る新しいメガネの耳掛け部を実現すべく、研究を行った結果、新しい便利なメガネの耳掛け部を開発することに成功し、本考案としてここに提案するものである。
【課題を解決するための手段】
【０００５】
装用者の耳の後方上部に達する様に緩く弯曲し、前方側には軸芯に沿ってメガネフレームのテンプル後部を挿入する長孔が形成され、後方寄りの下部には軸受けを有する耳掛け部本体と；前記耳掛け本体とほぼ同じ曲率で弓形に弯曲し、外縁中央付近には前記軸受けに軸支される枢支部を有し、前記耳掛け部本体に対して６０°〜１００°の相対角度で揺動自在に軸支され、前方部分が固定手段によって耳掛け部本体下面に当接した状態において固定出来る様になっている耳掛け可動部；とからメガネの耳掛け部を構成することにより、上記課題を解決した。
【実施例】
【０００６】
図１はこの考案に係るメガネの耳掛け部の装用時の側面図である。図中１は耳掛け部本体であり、メガネ装用者の耳の後方上部に達する様に緩く弯曲しており、前方側には軸芯に沿ってメガネフレームのテンプルの後部を挿入する為の長孔２が形成されている。又、その後方寄りの下部には、後記する耳掛け可動部３を軸支する軸受４が水平方向を向いて設けられている。
【０００７】
一方、３は耳掛け可動部であり、前記耳掛け部本体１とほぼ同じ曲率で弓形に弯曲しており、その外縁中央付近には前記軸受４に軸支される枢支部５が設けられており、前記耳掛け部本体１に対して６０°〜１００°の相対角度で揺動出来る様に軸支されている。
【０００８】
そして、耳掛け部本体１の下面寄りと、これに対応する耳掛け可動部３の外縁寄りには、それぞれ極性の異なる小さな磁石片６，７が固定されており、耳掛け可動部３の前方部分が耳掛け部本体１の下面に当接した状態で、両磁石片６，７が相互に吸着し、その状態を保持出来る様になっている。なお、これら磁石片６，７は、耳掛け可動部３の節度感を持った保持の為に用いられる固定手段であり、必ずしも磁石を用いなければならない訳ではなく、各種バネや合成樹脂材の弾性などを利用した固定手段を用いても良いことは、もちろんである。
【０００９】
この実施例は上記の通りの構成を有するものであり、この耳掛け部を用いたメガネを装用しようとするときは、図２に示す様に、耳掛け可動部３の前方部分を耳掛け部本体１から離脱した状態にしておき、この状態で装用者の耳の上方に移動させ、耳掛け可動部３を時計回り方向に回転させると、図１に示した状態になり、この耳掛け可動部３の後方部分は耳の後方から下部にまで回り込み、前方部分は耳掛け部本体１の下面に当接し、磁石片６と７とが吸着してその位置が固定される。この状態において、この耳掛けは装用者の耳に安定的に係止されたことになる。
【００１０】
一方、メガネははずすときは、装用者がテンプルを持って前方にメガネを引き出すと、耳掛け可動部３の後方部分には反時計回り方向の強い力が加わり、この力に抗し切れずに磁石片６と７とが離れると、耳掛け可動部３は反時計回り方向に回転し、図２に示した状態となり、装用者の耳から容易にはずすことが出来る様になる。この様に、装用中と取りはずし時とで、耳掛け可動部３は位置を変え、確実な保持と取りはずしの容易さとが実現されているが、磁石などの固定手段によって節度感を持って耳掛け可動部３の変位が行われるので、装用者は耳掛け可動部３の変位を常に確認しながら、かけはずしを行うことが出来、すぐれた装用感を有し、高い実用性を有するものである。
【図面の簡単な説明】
【００１１】
【図１】この考案に係るメガネの耳掛け部の一実施例の装用状態の側面図。
【図２】同じく、装用前及び取りはずし時の側面図。
【符号の説明】
【００１２】
１    耳掛け部本体
２    長孔
３    耳掛け可動部
４    軸受
５    枢支部
６    磁石片
７    磁石片
【図１】
0003125024.tif 000003
【図２】
0003125024.tif 000004
(57)【要約】      （修正有）【課題】  本考案は、スカートとふとももをつなぐための紐をスカートの内側に装着し、強風によりスカートがめくれてしまうのを防止する。【解決手段】  本考案は、スカート本体１の裾の内側部分に両足の前後側面の計６ヶ所に紐２ａ〜２ｆを装着し、その先端にクリップ３ａ〜３ｆを設けます。ゴムバンド４の外側面の１周全体に生地５を設け、それを両足のふともも部分に１つずつ巻きつけます。そして、スカート本体１を従来通りにはき、生地５にクリップ３ａ〜３ｆを挟み６ヶ所全て連結することで強風によりスカートがめくれてしまうのを防ぐのに役立つ。【選択図】図１
0003126000.tif 000002
【実用新案登録請求の範囲】
【請求項１】
スカート本体の内側に先端にクリップの付いた紐を装着し、その先端のクリップをふとももに巻くための専用のゴムバンドとつなぐことにより、強い風が吹いてもめくれないようにするのを特徴とするめくれ防止機能付きスカート
【請求項２】
両足のふともも部分に１つずつ巻き付け固定することが出来るめくれ防止機能付きスカートの専用のゴムバンドで、スカート本体に付いてある紐の先端にあるクリップを挟んで連結することが出来る生地がゴムバンド本体の外側部の１周全体に付いてあるのを特徴とする連結部分付きゴムバンド
【考案の詳細な説明】
【技術分野】
【０００１】  本考案は、内側部分にクリップ付きの紐を設けたスカートと、両足のふとももに巻き付けることが出来るゴムバンドに関するものである。
【背景技術】
【０００２】  スカート、特にミニスカートは、風の強い時外出するとその影響でめくりあがってしまい恥しい思いをすることがある。
【考案の開示】
【考案が解決しようとする課題】
【０００３】  風が強い日、スカートで外出する際はめくれないようにするため手で抑えたり、下着の上に短パン、スパッツ等をはいたりして面倒だった。従って、スカートと足を紐でつなぐことでスカートがめくり上がらないようにし前途の欠点を解決するものである。
【課題を解決するための手段】
【０００４】  本考案は、スカート本体の裾の内側に、先端にクリップを設けた１０ｃｍ前後の紐を両足の前方部分に１つずつ、後方部分に１つずつ、両側面部分に１つずつの計６ヶ所に装着する。そして、両足のふとももに１つずつ巻き付けるためのゴムバンド本体の外側面１周全体に生地を取り付ける。従来通りスカート本体をはき、そのゴムバンドをスカートで隠れるように両足のふとももに１つずつ巻き付け、それとスカート本体にあるクリップをゴムバンドの生地に挟んでつなぐことで、強風によりスカートがめくれてしまうとゆう問題点を解決している。
【考案の効果】
【０００５】  上述の様に、本考案のめくれ防止機能付きスカートをはくことで、強風によりめくり上がることはなくなり、とっさに手で抑えたり、下着の上からスパッツ等をはいたり、ズボンにはき変える必要がなくなり、恥しい思いをしないで安心して外出することが出来るようになる。
【図面の簡単な説明】
【０００６】
【図１】本考案のめくれ防止機能付きスカートの正面下からの斜視図である。
【図２】本スカートの正面図である。
【図３】本スカート専用のゴムバンド本体の上からの斜視図である。
【図４】本ゴムバンドの真上からの図である。
【図５】本スカートと本ゴムバンドの装着時の正面下からの斜視図である。
【図６】装着時の正面の透視図である。
【図７】装着時の側面からの透視図である。
【図８】本スカートに付いてあるクリップと本ゴムバンドに付いてある生地の連結部分の図である。
【符号の説明】
【０００７】１  スカート本体
２  紐
３  クリップ
４  ゴムバンド本体
５  生地
【図１】
0003126000.tif 000003
【図２】
0003126000.tif 000004
【図３】
0003126000.tif 000005
【図４】
0003126000.tif 000006
【図５】
0003126000.tif 000007
【図６】
0003126000.tif 000008
【図７】
0003126000.tif 000009
【図８】
0003126000.tif 000010
(57)【要約】      （修正有）【課題】納豆と使い捨ての飯椀を一体化することでぬるぬるして大変気持ちの悪い食器を洗うわずらわしさを解決する納豆と使い捨ての飯椀を一体化した納豆パッケージを提供する。【解決手段】飯椀の底部より高さ５ｃｍの凹凸部分図２を設け飯椀の中には１納豆２納豆を押えるためのビニール３．４．５．は納豆の調味料６中ぶたを設け且つ７突起物にて中ぶたを押えるので商品の搬送には何ら支障はおこらない。８のスペースにはご飯が入り納豆と飯椀を一体化しているので食べた後はゴミ箱に捨てるだけであるので食器を洗うわずらわしさを解決できる。【選択図】図１
0003125995.tif 000002
【実用新案登録請求の範囲】
【請求項１】
納豆パッケージにご飯一膳分入るスペースを設けるとともに、飯椀の底部より５ｃｍまで凹凸部分を設けることにより飯椀の安定性と持ち安さを兼ね備えた、納豆と飯椀を一体化することを特徴とする使い捨ての納豆パッケージ。
【考案の詳細な説明】
【技術分野】
【０００１】  本考案は、納豆と使い捨ての飯椀を一体化した納豆パッケージである。
【背景技術】
【０００２】  納豆を副食にして食事をした後、従来は納豆に調味料を混ぜ家庭の食器に移し代え食べ終った後は、食器を洗わなければならなかった。
【考案の開示】
【考案が解決しようとする課題】
【０００３】食器を洗う時に納豆のぬめりが他の食器やスポンジなどにまとわりつきぬるぬるして大変気持ちの悪いものです。従って納豆と飯椀を一体化することによって洗うわずらわしさを解決しようとするものである。
【課題を解決するための手段】
【０００４】本考案は、納豆を食器に移し食べ終った後洗わなければならなく洗う時のぬるぬる感を洗いながそうとすると個人差はあるが、普通の飯椀の汚れを流す時とでは、水道量が６倍洗い流す時間は３倍にもなる例ば４人家族が全員食べたとするとそれらの４倍もかかるということになる。これらを理由に納豆を嫌い食べたがらない人も多い。食器を洗うわずらわしをなくすことで解決することができる。
【考案の効果】
【０００５】上述の様に、本考案の納豆と使い捨ての飯椀を一体化することによって食器を洗うわずらわしさを解決することによって一人暮らしのお年寄り、親元から離れて生活している人々単身赴任の人々もなんら苦にすることなくご飯さえあれば手軽に食べることができるので忙がしい今の時代の消費者のニーズに合っているものである。６３年度に実用新案公開昭６３−９１４８７に飯椀付き納豆パッケージを考案されている。しかし従来の納豆パッケージと飯椀を重ねただけのものであり混ぜ合わせた納豆を移し変えたり手間がかかり従来の納豆パッケージとなんら変わらないが本考案は納豆と飯椀を一体化しているので一つの飯椀で済すことができるという大きな違いがある。
本考案は、この難点を解決したものでこれを図と共に説明すると、
（ア）納豆容器１図の飯椀の底部に納豆を入れ（１）納豆（２）ビニール（３）からし（４）しょう油（５）ねぎ（６）中ぶた（７）突起物（８）ご飯一膳プラス２ｃｍのスペースの空間をつくる（９）外ぶたをつける。
（イ）容器の底部より納豆を納め納めた納豆の高さプラス３ｃｍまで（１０）のように凹凸をつけて飯椀を手で持ち安くする。本考案はこのような構造であるからこれにより納豆ご飯を食べる時には（９）を開き（６）（２）をはがし調味料をかけ混ぜ合わせる
１図を捨てれば食器を洗うわずらわしさは無くなるものである。尚本考の他の実施例としては、３図の納豆椀の容量をご飯半膳用も考えられる。以上のように本考案は、その構造は簡単ではあるが従来の納豆パッケージに新しい機能性を与えた効果の大きな考案である。
【図面の簡単な説明】
【０００６】
【図１】本考案の断面図（ご飯一膳分）
【図２】本考案の側面図
【図３】本考案の断面図（ご飯半膳分）
【符号の説明】
【０００７】１納豆
２ビニール
３調味料
４調味料
５調味料
６中ぶた（スペースを作ることで納豆が不安定になるのをふせぐため）
７突起物（中ぶたを押えるためのもので３箇所に作る）
８ご飯が入るスペース
９外ぶた
【図１】
0003125995.tif 000003
【図２】
0003125995.tif 000004
【図３】
0003125995.tif 000005
(57)【要約】 【課題】  本考案は母趾以下小趾の横紋から横アーチの足底に底部の形のパットを作り、そのパットを靴下本体に張り合わせ、この靴下を履く事で足横アーチ底部が安定し足趾、足底の屈曲運動の出来るパット及び靴下を提供することを目的とする。【解決手段】  母趾以下小趾の横紋から母趾第1趾付根から第5趾付根横アーチの底部に、底形に成形したパットを靴下本体に張り合わせ、横アーチの安定と足趾、足底の屈曲運動の為に、穿孔有るかつ柔軟性を備えた事を特徴とする。【選択図】  図1
0003125996.tif 000002
【実用新案登録請求の範囲】
【請求項１】
靴下の足底に張り合わせるシート状基体が、多数の穿孔若しくは突起或いは幾何状を有して柔軟性を有するパット。
【請求項２】
母趾以下小指の付根の横シワ（横紋）から、第一趾付根より第五趾付根の横アーチの底部に密着するように形成されたパットを、靴下本体に張り合わせた靴下。 
【考案の詳細な説明】
【技術分野】
【０００１】
本考案は、足底、横アーチの形に穿孔されたパットを靴下に張り合わせ足趾、横アーチ、縦アーチの屈曲運動、矯正の出来るパットと、そのパットを靴下本体に張り合わせ屈曲運動、矯正の出来る靴下に関する。
【背景技術】
【０００２】
履物の特に底部は色色の方法で、外反母趾、偏平足、開張足、O脚などの多くの方の悩みを少なくする為に、多様の研究をなされ作られている。靴下も同じく爪先部にパットを付けて滑らないパット付き靴下、靴下の底の外側部分にクッションパットを付けた物、足に合わせてフイットして履き心地を良くした物、足裏の土踏まずを刺激するパット付き靴下などなど数え切れない数であるが、すべて足趾、足底、足全体の固定と刺激の効果とその部分だけの為のパットの為、長時間の着用は難しい、思ったより効果的でない、違和感が多い、子供から高齢者まで安心して履けない、等など足趾、足底の屈曲運動、足底の筋肉強化、矯正に効果的な靴下は難しく従来の現状である。
【考案の開示】
【考案が解決しようとする課題】
【０００３】
この考案は、母趾以下、小趾の横シワ（横紋）から、第一趾付根より第五趾付根の横アーチの底部の形のパットを作り、そのパットを靴下本体に張り合わせその靴下を履く事で足趾、足底の屈曲運動、足底の筋肉強化、矯正の出来るパットを得る為に研究を重ねた。
【課題を解決するための手段】
【０００４】
母趾以下小趾の横シワ（横紋）から、第一趾付根より第五趾付根の横アーチの底部に密着するように、図1の様に成形されたパットを、靴下本体に、図2の様に張り合わせ、その靴下を履く事で横アーチの底部の安定と足趾、横アーチ、縦アーチの屈曲運動、足底の筋肉強化、矯正の目的に合うことを突き止め考案を完成することが出来た。
【考案の効果】
【０００５】
本考案はパットの付いた靴下を履く事で、横アーチの底部にパットが密着して横アーチが安定し足趾、横アーチ、縦アーチの屈曲運動が効果的に行い得る。よって足趾、横アーチ、縦アーチ、脚の筋肉強化につながる。
【考案を実施するための最良の形態】
【０００６】
本考案のパット付き靴下を、足の横アーチに合わせて履く事で身体の重みでパットに横アーチ底部が密着し、さらには穿孔された穴に皮膚が押し出され、安定し横アーチを支軸に足趾、横アーチ、縦アーチの屈曲運動が自然にスムーズな行動が出来る。この屈曲運動は歩きながら或いは立ち姿勢、椅子に腰掛けた姿勢でも実施することが出来る。
【実施例１】
【０００７】
図に基づいて説明する。図1は足底横アーチに合わせたパットに穿孔された一例の斜視図である。図2はパットを靴下に張り合わせた左底平面である。図1乃至図2に示す如くパットは母趾以下小趾横シワ（横紋）から母趾第1付根より第5趾付根の横アーチ底部の形に成形したパットに複数の穿孔、或いは突起、或いは幾何学状を施し靴下本体の横アーチ底部に張り合わせて完成した靴下を、足底横アーチに合わせて履くと穿孔されたパットに、足底の皮膚が体重で押し出され密着され靴下は動くことなく横アーチ足底部が安定し、その足底を支軸として第1趾から第5趾にかけての屈曲運動が容易に出来る。よって横アーチ縦アーチも屈曲運動が自発的な行為になる。さらには足親趾以下5趾の強化が一段と向上し足底全体の矯正にもつながる。それを要約すれば母趾以下小趾横シワ（横紋）から母趾第1付根より第5趾付根の横アーチ底部の形に成形し穿孔あるパットを靴下本体に張り合わせ足底、横アーチに合せて履く事で足底横アーチが安定し足趾、横アーチ縦アーチの屈曲運動が効果的に行い得るパット及び靴下である。
【実施例２】
【０００８】
以下に他の実施形態を説明する。図1のパットは靴下に張り合わせるだけでなく履物中底（インソール、）中敷、スリッパ、サンダル、下駄等の横アーチ底部に張り合わせ実施すると実施形態の如く効果的に使うことが出来る。
パットは図1の成形、穿孔だけでなく多くの人の足底に合うように母趾以下小趾の横シワ（横紋）線上を直線或いは曲線に成形することも出来る。また図1の穿孔は大小の穿孔、大小の突起、凸凹の幾何状を効果的で使い易い方法を選択することが出来る。
図1のパットは基本的な形で穿孔されたパットで形や、穴、突起、幾何状だけでなくパットの厚みによって屈曲運動に多く関わってくる。好ましくは０．５ｍｍ一1ｍｍ後で短時間のトレーニングなどでは厚みの有るパットの方が足趾、特に親趾の動きがスムーズになり効果的な屈曲運動が出来足趾、足底の筋肉強化に適する。
パットの装着は被着、縫着、伸縮性接着剤、給糸本体一体、塗着も出来る。
パット素材は布、革、木肌、植物葉、紙、不織布製、ゴム、合成ゴム、発泡スチロール、漆、カシュ等で柔軟性の有る素材であれば任意出来る。
【図面の簡単な説明】
【０００９】
【図１】パットの一例の斜視図である。
【図２】パットを靴下本体に張り合わせた右底平面図である。
【符号の説明】
【００１０】
1…パット        2…パットを張り合わせた靴下
3…穿孔          
【図１】
0003125996.tif 000003
【図２】
0003125996.tif 000004
【手続補正書】
【提出日】平成18年8月7日(2006.8.7)
【手続補正１】
【補正対象書類名】実用新案登録請求の範囲
【補正対象項目名】全文
【補正方法】変更
【補正の内容】
【実用新案登録請求の範囲】
【請求項１】
靴下の足底に張り合わせるシート状基体が、多数の穿孔若しくは突起或いは幾何状を有して柔軟性を有するパット。
【請求項２】
母趾以下小指の付根の横アーチから、第一趾（親指）付根より第五趾（小指）の間の横アーチ部に請求項１記載のパットを貼り合わせたことを特徴とする靴下。
(57)【要約】      （修正有）【課題】灯油タンクに脚を付け、ホースポンプで注油する際、容易に注油することが出来、少なくなった灯油を注油するにしてもタンクを高くし、斜めにせずに残らず注油する。【解決手段】灯油タンク本体２に、伸縮脚５を設け、油面を高くすることがいつどこでも容易に出来るようになり、残りが少なくなった油も脚を調整することにより傾むけることも出来て、油をこぼすことなく、全部容易に注油できる、又脚は未広がりになるように講成されおり、安定し安全である。【選択図】図１
0003125997.tif 000002
【実用新案登録請求の範囲】
【請求項１】
灯油タンク本体に、未広がりに伸縮出来る脚を付けたタンク
【考案の詳細な説明】
【技術分野】
【０００１】  本考案は、タンク本体に未広がりに伸縮出来る脚を設けたものである。
【背景技術】
【０００２】  従来の灯油タンクは、石油ストーブ、フアンヒーターに注油する際、ホースポンプを用いるために灯油タンクを高いところに置くか手にもって高くしないと容易に注油出来なかった。
【考案の開示】
【考案が解決しようとす課題】
【０００３】  これは次のような問題点があった。
灯油を注油する際、ホースポンプを用いるため、灯油タンクの油面を高くしないと容易に注油出来ず、高い所に置くか手に特って高くして注油していた。又少なくなった灯油タンは、手によって傾むけて注油するため不安定になり油をこぼすことがある。
【課題を解決するための手段】
【０００４】  灯油タンク本体に、底辺が広くなる伸縮する脚を設け、油が少なくなったときは傾むけて注油するように設定することも容易に出来る、又コシの付いたタンクに最適である。
【考案の効果】
【０００５】  上記に基ずいて、いつでも容易に注油することができるようになる。
【考案の実施するための最良の形態】
【０００６】  灯油タンク本体に、脚を収納するスペースを設け、脚を伸ばしたとき、未広がりになるように構成されており、又脚の長さを調整できるようになっており、安定して安全である。
【実施例】  以下、添付図面に従って一実施例を説明する。灯油タンク使用のポリエチレン素材にて一体化形成された灯油タンク本体２、伸縮する脚７のスペースをタンクの両角に設け、少なくなった灯油タンクを傾むけて注油しても、安全な調整ネジ７を講成されたものである。
【図面の簡単な説明】
【０００８】
【図１】本考案の正面図である。
【図２】本考案の平面図である。
【図３】本考案の左側面図である。
【図４】本考案の実施例を示す斜視図である。
【符号の説明】
【０００９】１  キヤップ
２  灯油タンク本体
３  脚収納部
４  ロツクつまみ
５  脚
６  取手
７  調整ネジ
８  ストッパー
９  凹部
【図１】
0003125997.tif 000003
【図２】
0003125997.tif 000004
【図３】
0003125997.tif 000005
【図４】
0003125997.tif 000006
(57)【要約】【課題】湿式デュアルクラッチにおいて、ポンプギヤシャフトとカバーインナーの連結構造の部品数の削減と、加工・組立工程の簡略化を図ること。【解決手段】湿式デュアルクラッチ１０の軸芯を貫通して延びるポンプギヤシャフト２０のエンジン側先端がカバーインナー３０から突出して突出部２１を形成し、ポンプギヤシャフト２０をカバーインナー３０とスプライン嵌合させたことにより、従来と同等の構成・機能を、より少ない部品で実現した。【選択図】図１
0003125939.tif 000002
【実用新案登録請求の範囲】
【請求項１】
湿式デュアルクラッチの軸芯を貫通して延びるポンプギヤシャフトのエンジン側先端がカバーインナーから突出し、前記ポンプギヤシャフトが前記カバーインナーとスプライン嵌合していることを特徴とする、
湿式デュアルクラッチのポンプギヤシャフトとカバーインナーの連結構造。
【考案の詳細な説明】
【技術分野】
【０００１】
本考案は、湿式デュアルクラッチのポンプギヤシャフトとカバーインナーの連結構造に関する。
【背景技術】
【０００２】
従来の湿式デュアルクラッチのポンプギヤシャフトとカバーインナーの連結構造として、図３に示す湿式デュアルクラッチ１００がある。
図３において、Ｋ１は外周側の第１クラッチ、Ｋ２は内周側の第２クラッチ、符号２００はポンプギヤシャフト、３００はカバーインナーでエンジン側端部に突出部３１０が形成されている。そして、符号４００はポンプギヤである。
ポンプギヤシャフト２００の左端は、図示しないオイルポンプにつながっており、そのオイルポンプによって、潤滑油の循環と必要な油圧の発生機能が得られるようになっている。
【０００３】
この図から分かるように、従来の構造では、ポンプギヤシャフト２００、ポンプギヤ４００、及びカバーインナー３００は別体であり、３つの部品で構成されている。なお、ポンプギヤシャフト２００とポンプギヤ４００はスプラインによって連結され、ポンプギヤ４００とカバーインナー３００は、ねじ山によって連結されている。
そのため、部品数が多く、加工・組立工程が煩雑になるという問題があった。
【考案の開示】
【考案が解決しようとする課題】
【０００４】
そこで、本考案は、従来と同等の構成・機能を、より少ない部品で実現することを目的とする。
【課題を解決するための手段】
【０００５】
本考案は、湿式デュアルクラッチの軸芯を貫通して延びるポンプギヤシャフトのエンジン側先端がカバーインナーから突出し、前記ポンプギヤシャフトが前記カバーインナーとスプライン嵌合していることを特徴とする湿式デュアルクラッチのポンプギヤシャフトとカバーインナーの連結構造により、前記課題を解決した。
【考案の効果】
【０００６】
本考案によれば、従来と同等の構成・機能を、より少ない部品で実現することができる。
【考案を実施するための最良の形態】
【０００７】
以下、図面を参照して、本考案の実施形態を説明する。
図１は本考案を適用した湿式デュアルクラッチの断面図、図２の（ａ）は本考案のポンプギヤシャフトの要部断面図、（ｂ）は本考案のカバーインナーの断面図である。
【０００８】
本考案では、従来、図３のカバーインナーが果たしていたエンジン側相手部材との嵌合機能及びポンプギヤが果たしていたポンプギヤシャフトとカバーインナーの嵌合機能を、ポンプギヤシャフト２０自体が有する。
【０００９】
すなわち、湿式デュアルクラッチの軸芯を貫通して延びるポンプギヤシャフト２０のエンジン側先端がカバーインナー３０から突出して突出部２１を形成しており、この部分が、図３の従来のカバーインナー３００の突出部３１０に相当して、図示しない、エンジン側相手部材との嵌合機能を有する。
また、ポンプギヤシャフト２０の従来のポンプギヤ４００の位置であるカバーインナー３０との嵌合位置に、スプライン４０を設けることにより、ポンプギヤシャフト２０とカバーインナー３０がスプライン嵌合で一体化されるようにした。
【００１０】
カバーインナー３０については、従来の突出部３１０に相当する部分がなく、貫通孔が設けられた形状になっている。
【００１１】
このように、従来のポンプギヤシャフトとカバーインナーの突出部を一体にすることにより、従来３点の部品を必要としていたところを２点にすることができた。しかし、機能的には、従来と異なるところはない。
【００１２】
以上説明したように、本考案によれば、従来よりも部品数及び加工・組立工程数を削減できることからコストを低減することができ、且つ、エンジン側相手方部材の構造を変える必要もない。
【図面の簡単な説明】
【００１３】
【図１】本考案を適用した湿式デュアルクラッチの断面図。
【図２】（ａ）は本考案のポンプギヤシャフトの要部断面図、（ｂ）は本考案のカバーインナーの断面図。
【図３】従来の湿式デュアルクラッチの断面図。
【符号の説明】
【００１４】
１０：湿式デュアルクラッチ
２０：ポンプギヤシャフト
２１：突出部
３０：カバーインナー
【図１】
0003125939.tif 000003
【図２】
0003125939.tif 000004
【図３】
0003125939.tif 000005
(57)【要約】      （修正有）【課題】カバン本体を縦に割った形状にし、割れ目面の内側にマグネットを仕込み、オートバイに装着するときはカバンを開いて取り付け、取り外したときは向かい側面もマグネットと密着するカバンの提供。【解決手段】走行中に外れない強度のあるマグネットをカバン割れ目面内側のさらにレザー、もしくは布一枚内側にマグネットを仕込む。【選択図】図４
0003125960.tif 000002
【実用新案登録請求の範囲】
【請求項１】
カバンを縦に割った形状にし、割れ目面の内側にマグネットを仕込んだ形のオートバイ用タンクバッグ。
【考案の詳細な説明】
【技術分野】
【０００１】本考案はオートバイ用タンクバッグに係り、特にオートバイ乗車時の荷物積載用バッグで、一個のカバンを縦に割ってタンクに装着することを特徴とするオートバイ用タンクバッグに関する。
【背景技術】
【０００２】従来のタンクバッグはカバン本体から羽を出して羽部分にマグネットを仕込み、タンクに装着する形状であった。
【考案の開示】
【考案が解決しようとする課題】
【０００３】マグネットを仕込んだ羽部分を無くす。
【課題を解決するための手段】
【０００４】カバン本体を縦に割った形状にし、割れ目面の内側にマグネットを仕込むことにより羽を無くすことができる。
【考案の効果】
【０００５】羽を無くすことで、より簡素な仕組みにすることができ、脱着も簡素化される。
【考案を実施するための最良の形態】
【０００６】カバン本体を縦に割った形状にし、割れ目面の内側にマグネットを仕込んだ本考案のバッグをオートバイのタンク部分に装着して使用する。
【実施例】
【０００７】図４は本考案がオートバイのタンク部分に装着された状態を示し、図３は本考案がオートバイのタンク部分から取り外された状態を示す。
【図面の簡単な説明】
【０００８】
【図１】  「新型タンクバッグを開いて側面から見たところを示した説明図。」
【図２】  「新型タンクバッグを開いて合わせ面から見たところを示した説明図。」
【図３】  「新型タンクバッグを閉じて側面から見たところを示した説明図。」
【図４】  「新型タンクバッグを実際にオートバイに装着したところを示した説明図。」
【図１】
0003125960.tif 000003
【図２】
0003125960.tif 000004
【図３】
0003125960.tif 000005
【図４】
0003125960.tif 000006
(57)【要約】【課題】子供が寝るのを嫌がったり寂しがったりせず、一人でも安心して眠ることのできる子供用蒲団を提供する。【解決手段】子供用蒲団１１は、蒲団本体１２と、蒲団本体１２を包む蒲団カバー１３と、蒲団カバー１３の表面にポケット１４とを備える。【選択図】図１
0003125910.tif 000002
【実用新案登録請求の範囲】
【請求項１】
蒲団と、
前記蒲団の表面にポケットとを備える、子供用蒲団。
【請求項２】
前記子供用蒲団は、前記ポケットに収容可能な人形をさらに備える、請求項１に記載の子供用蒲団。
【請求項３】
前記蒲団は、蒲団本体と、前記蒲団本体を包む蒲団カバーとを含み、
前記ポケットは、前記蒲団カバーの表面に設けられている、請求項１または２に記載の子供用蒲団。
【請求項４】
前記蒲団は、掛け蒲団である、請求項１〜３のいずれかに記載の子供用蒲団。
【考案の詳細な説明】
【技術分野】
【０００１】
この考案は、蒲団、特に子供が使用する子供用蒲団に関するものである。
【背景技術】
【０００２】
従来の子供用蒲団は、例えば、特開２０００−８３７８４号公報（特許文献１）に記載されている。同公報に記載されているような子供用掛け蒲団は、子供の背丈に合わせた大きさとなっており、一般的には、子供用ベッドや子供用蒲団で子供が一人で寝るときに使用される。
【特許文献１】特開２０００−８３７８４号公報
【考案の開示】
【考案が解決しようとする課題】
【０００３】
しかし、小さい子供は、子供用ベッドや子供用蒲団で一人で寝るのを嫌がったり寂しかったりするので、親にとっては子供がなかなか寝付かないという問題がある。
【０００４】
そこで、この考案の目的は、子供が寝るのを嫌がったり寂しがったりせず、一人でも安心して眠ることのできる子供用蒲団を提供することである。
【課題を解決するための手段】
【０００５】
この考案に係る子供用蒲団は、蒲団と、蒲団の表面にポケットとを備える。そして、子供用蒲団は、ポケットに収容可能な人形をさらに備える。
【０００６】
上記構成の子供用蒲団は、子供が寝るときにお気に入りの人形をポケットの中に入れて一緒に眠ることができるものである。その結果、子供は安心して眠ることができるので、寝るのを嫌がったり寂しがったりすることがない。
【０００７】
また、子供が起きているときには、ポケットから人形を取り出して人形遊びをすれば、この人形にさらに愛着を持つことができる。そして、この人形と一緒に眠ればさらに安心できるという好循環が生まれる。
【０００８】
一実施形態として、蒲団は、蒲団本体と、蒲団本体を包む蒲団カバーとを含む。そして、ポケットは蒲団カバーの表面に設けられている。この考案は、蒲団カバーにポケットを設けてもよいし、蒲団本体に直接ポケットを設けてもよい。
【０００９】
他の実施形態として、蒲団は掛け蒲団である。この考案は、掛け蒲団に適用してもよいし、敷布団に適用しても同様の効果を得ることができる。
【考案を実施するための最良の形態】
【００１０】
図１および図２を参照して、この考案の一実施形態に係る子供用蒲団１１を説明する。
なお、図１は子供用蒲団１１を示す図、図２は子供用蒲団１１の使用状態を示す図である。
【００１１】
まず、図１を参照して、子供用蒲団１１は、蒲団本体１２と、蒲団本体１２を包む蒲団カバー１３と、蒲団カバー１３の表面に設けられたポケット１４とを備える掛け蒲団である。ポケット１４は、矩形形状であって、その一辺が開口部１４ａとなっている。また、蒲団カバー１３を蒲団本体１２に被せた際に、ポケット１４が子供用蒲団１１の上面の中央部にくるようになっている。
【００１２】
次に、図２を参照して、子供１５が子供用蒲団１１で眠るときには、お気に入りの人形１６をポケット１４に収容する。このとき、人形１６にとって子供用蒲団１１は敷布団、ポケット１４は掛け蒲団として機能する。また、子供１５および人形１６は、ポケット１４の開口部１４ａの方向を頭にして眠る。
【００１３】
上記のようにして眠ることで、子供１５はお気に入りの人形１６と一緒に眠る安心感を得ることができる。その結果、子供用ベッドや子供用蒲団で一人で眠る場合でも、眠るのを嫌がったり、寂しがったりすることがなくなるので、親はすぐに子供を寝付かせることができる。
【００１４】
また、子供１５が起きているときには、ポケット１４から人形１６を取り出して人形遊びをすれば、この人形１６にさらに愛着を持つことができる。そして、この人形１６と一緒に眠ればさらに安心できるという好循環が生まれる。
【００１５】
さらに、子供１５が眠るときには常にお気に入りの人形１６をポケット１４に入れて一緒に眠ることを習慣とすれば、人形１６がポケット１４（人形１６にとっての蒲団）の中に入ると、子供１５も「そろそろ眠る時間だ」と認識する。つまり、親が人形１６をポケット１４に入れることによって、子供１５に対して自然に寝る時間を伝えることができる。
【００１６】
なお、上記の実施形態における子供用蒲団１１は、掛け蒲団である例を示したが、これに限ることなく、敷布団等であってもよい。また、上記の実施形態においては、ポケット１４を蒲団カバー１３に設けた例を示したが、これに限ることなく、蒲団本体１２に設けてもこの考案の効果を得ることができる。
【００１７】
また、上記の実施形態においては、ポケット１４を子供用蒲団１１の中央部に設けた例を示したが、これに限ることなく、任意の位置に設けることができる。例えば、子供１５の寝返り等による人形１６の脱落を防止する観点からは、子供１５の体と重ならない子供用蒲団１１の外縁部にポケット１４を設けるのが望ましい。
【００１８】
また、上記の実施形態においては、矩形形状のポケット１４の例を示したが、これに限ることなく、円形や楕円形等の任意の形状を採用することができる。また、ポケット１４内の人形１６の脱落を防止する観点からは、開口部１４ａの開口幅をポケット幅より小さくすることが望ましい。
【００１９】
さらに、上記の実施形態における「人形」は、人を表わしたものに限られず、動物等を表わしたぬいぐるみをも含むものと理解すべきである。例えば、図２に示すように、熊のぬいぐるみ等でもよい。
【００２０】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００２１】
この考案は、子供用蒲団に有利に利用される。
【図面の簡単な説明】
【００２２】
【図１】この考案の一実施形態に係る子供用蒲団を示す図である。
【図２】図１に示す子供用蒲団の使用状態を示す図である。
【符号の説明】
【００２３】
１１  子供用蒲団、１２  蒲団本体、１３  蒲団カバー、１４  ポケット、１４ａ  開口部、１５  子供、１６  人形。
【図１】
0003125910.tif 000003
【図２】
0003125910.tif 000004
(57)【要約】【課題】吸い込んだ水分の放散性能の高い層を備えるようにし、就寝時にべた付き感がなく、夏場においても涼感が得られる敷布団を提供する。【解決手段】敷布団１を、布団厚さ方向に羽毛７を充填物とした第一層２とウレタンフォーム１０を配した第二層３と布生地の袋体１１に麻綿１２を充填した第三層４とが順に積層された層構成を有するものとした。【選択図】図１
0003125902.tif 000002
【実用新案登録請求の範囲】
【請求項１】
布団厚さ方向に羽毛を充填物とした第一層とウレタンフォームを配した第二層と布生地の袋体に麻綿を充填した第三層とが順に積層された層構成を有することを特徴とする敷布団。
【考案の詳細な説明】
【技術分野】
【０００１】
本考案は敷布団に関するものである。
【背景技術】
【０００２】
従来から敷布団については快適な根心地が得られるようにするために数々の工夫があり、その一つとしてウレタンフォームを中心層としてその上下に羽毛を充填物とした層を形成した敷布団が提案されている（特許文献１参照）。
【特許文献１】実開昭６２−１３４４５８号
【考案の開示】
【考案が解決しようとする課題】
【０００３】
上述した上下に羽毛の層を配した敷布団にあっては表裏を区別することなく利用できるものとしている。しかしながら、通年で使用しようとすると、最下層（羽毛を充填物としている層）の局部的な潰れが早期に生じてしまう問題がある。また、前記最下層が低通気性の層となっているため、就寝時に最下層に達する汗などの水分の発散性能が悪く、特に夏場での使用では涼感が得られ難いという問題があり、そして、最下層の羽毛層を除いて羽毛の層（上層）とウレタンフォームが配された層（下層）との二層構造としても、ウレタンフォーム自体も水分の発散性能が高いものではなく、同様に涼感が得られるものとはならない。
そこで本考案は上記事情に鑑み、吸い込んだ水分の放散性能の高い層を備えるようにすることを課題とし、就寝時にべた付き感がなく、夏場においても涼感が得られる敷布団を提供することを目的とする。
【課題を解決するための手段】
【０００４】
そこで本考案は上記課題を考慮してなされたもので、布団厚さ方向に羽毛を充填物とした第一層とウレタンフォームを配した第二層と布生地の袋体に麻綿を充填した第三層とが順に積層された層構成を有することを特徴とする敷布団を提供して上記課題を解消するものである。
【考案の効果】
【０００５】
麻素材の特性は吸、放湿性が高いものであることから、本考案によれば第三層の部分において麻綿にて通気性が確保され、そして、麻素材の前記特性により第三層の部分で水分の放散性能が高く、敷布団全体としてべた付き感がなく涼感が得られるものとなる。また、第一層の肌触りはソフトになり、第二層がウレタンフォームを配してなるものであることから、使用に際して底付き感を感じさせることがないなど実用性に優れた効果を奏するものである。
【考案を実施するための最良の形態】
【０００６】
つぎに本考案を図示の例に基づいて詳細に説明する。
図中１は敷布団で、該敷布団１は表地側から第一層２と第二層３と第三層４とが順に積層された三層の積層構成を有するものである。第一層２は表生地５と内生地６との間に羽毛７を充填物としキルティングを行なって面方向に区分された小室それぞれで羽毛７の移動を抑え込むようにして羽毛７を配置してなるものである。第二層３は前記内生地６と下生地８との間に形成された空間に、ネット材９で包まれたウレタンフォーム１０を位置させてなるものである。そして、前記第二層３の下層となる第三層４は、麻素材などの布生地を用いて作成された袋体１１に充填物として麻綿１２を詰めてなるものである。この第三層４自体は下生地８とともにキルティング加工などをして移動しないようにすることが可能である。
【図面の簡単な説明】
【０００７】
【図１】本考案に係る敷布団の一例を示す説明図である。
【符号の説明】
【０００８】
１…敷布団
２…第一層
３…第二層
４…第三層
５…表生地
６…内生地
７…羽毛
８…下生地
９…ネット材
１０…ウレタンフォーム
１１…袋体
１２…麻綿
【図１】
0003125902.tif 000003
(57)【要約】      （修正有）【課題】表・裏のハンドプレートに好みの図柄を２〜３枚挟み、且図柄を取り替えて装着でき、複数の図柄を楽しむことができる装飾ハンドプレートの提供。【解決手段】本体プレートを表・裏の２枚にする事により図柄を２〜３枚プレートの間に挟んで、時々中の図柄を楽しむ事もできる。又図柄を好きなときに取替えることもでき、一組のプレートで何回も楽しむ事ができる。そして、本体プレートと指及び腕との結合もチェーンと引き輪の組み合わせとなっているので、人の手の大きさ、指、腕の大きさに合わせてチェーンの長さを調整できる。【選択図】図１
0003125985.tif 000002
【実用新案登録請求の範囲】
【請求項１】
図柄をはさむ形式で、表・裏の透明な薄板で構成された、手の甲に装着することを特徴とするハンドプレート。
【請求項２】
前記ハンドプレートは、プレート本体の３箇所を「つなぎ丸カン」、及び「引き輪」で表と裏プレートを結合する事を特徴とする請求項１記載のハンドプレート
【考案の詳細な説明】
【技術分野】
【０００１】この発明は、手の甲に表・裏の２枚で構成された装飾ハンドプレートの形式及び手の甲に取り付ける方法に関する。
【背景技術】
【０００２】従来の手の甲に飾るプレートは、図２に示す１枚のハンドプレートに図柄を設けたものである。
［意匠登録１］意匠登録＃第５４９８３５号
【考案の開示】
【発明が解決しょうとする課題】
【０００３】しかしながら、以上の技術によれば、１枚のプレートに１つの図柄しか使えず、違う図柄を要求する場合は、複数個のハンドプレートを手に入れなければならない。
そこで、この発明は、１式の装飾プレートで複数の図柄を楽しむ事を提供する事を課題とする。
【課題を解決するための手段】
【０００４】以上の課題を解決するために、第１発明は、表・裏２枚のハンドプレートの形式にして、その間に好みの２枚の図柄を挟む形式にしたことを特徴とするハンドプレートである。又第２発明は、表・裏の２枚のプレートを３箇所で結合することを特徴とする装飾ハンドプレートである。
【発明の効果】
【０００５】  第１発明、第２発明によれば、表・裏のハンドプレートに好みの図柄を２〜３枚挟み、且図柄を取り替えて装着できて、有効利用もでき楽しみも倍増する。
【考案を実施するための最良の形態】
【０００６】この発明の一実施形態を図１に示す。
ハンドプレートの本体１は、透明プラスチック製の２枚の薄板であり、この本体の３箇所には、小指用、人差し指用及び腕用の３本のチェーンの輪が設けられており、このチェーンは、それぞれ小指、人差し指、腕に巻きつけられて、軽く固定された状態で、手の甲に飾られる。
［実施状態の効果］【０００７】  この実施状態によれば、２枚のハンドプレートに挟まれた、隠れた図柄をハンドプレートの腕側の引き輪を外す事により観賞することができ楽しみは一層増す。
［他の実施形態］【０００８】図１の実施形態では、ハンドプレート本体を固定するためにチェーンを使用したが、腕用に腕輪又はゴム輪、指用に指輪又はゴム輪を使用すれば簡易で安価な装着ハンドプレートにもなる。
【図面の簡単な説明】
【０００９】
【図１】この発明の一実施形態を示す斜視ずである。
【図２】従来の意匠登録を示す斜視図である。
【符号の説明】
１  装飾ハンドプレート本体（表・裏プレートで一式）
２  引き輪（取り外し式つなぎ輪）
３  つなぎ丸カン（つなぎリング）
４  小指用チェーン
５  人差し指用チェーン
６  腕用チェーン
【図１】
0003125985.tif 000003
【図２】
0003125985.tif 000004
(57)【要約】【課題】  本考案の補助浮力体付き液量計は上述の問題点に鑑みてなされたものであり、ドラム缶等内部が外から見えない容器内に残量が少なくなったことを警告すること、及び空のドラム缶に廃油等を入れる用途に対し、オーバーフローをさせない位置を確認し、環境への影響に配慮できること等、用途に応じた警告をより鮮明にできる液量計を提供することを課題とする。【解決手段】  本考案の補助浮力体付き液量計は、浮力体の上部から下部までの任意の必要とする場所に、補助浮力体を配置し、残量減少やオーバーフローの警告域に入ったことを容易に把握できることを特徴とする。【選択図】図１
0003125988.tif 000002
【実用新案登録請求の範囲】
【請求項１】
測定対象の液体より大きな比重を有し略垂直に保持された主浮力体と、該主浮力体を摺動自在に保持するホルダー部と、該ホルダー部に配置されて前記主浮力体を支持する弾性部材と、前記主浮力体の上部から下部までの任意の場所に設けた少なくとも１箇所の補助浮力体とからなる液量計。
【請求項２】
少なくとも一端が閉止された中空パイプからなり、測定対象の液体より大きな比重を有し略垂直に保持された主浮力体と、該主浮力体を摺動自在に保持するホルダー部と、該ホルダー部に配置されて前記主浮力体を支持する弾性部材と、前記主浮力体の上部から下部までの任意の場所に設けた少なくとも１箇所の補助浮力体とからなることを特徴とする液量計。
【請求項３】
少なくとも一端が閉止された中空パイプからなり、測定対象の液体より大きな比重を有し略垂直に保持された主浮力体と、該主浮力体を摺動自在に保持するホルダー部と、該ホルダー部に配置されて前記主浮力体を支持する弾性部材と、前記主浮力体の上部から下部までの任意の場所に設けた少なくとも１箇所の補助浮力体と、前記ホルダー部の周囲に設けて液量レベルを表示するレベルゲージとからなることを特徴とする液量計。
【考案の詳細な説明】
【技術分野】
【０００１】  本考案は、ドラム缶等の液レベルを表示する液量計に関する。
【背景技術】
【０００２】  実用新案登録第３１１９０５２号の液量計に関し、該液量計は、灯油タンクやドラム缶等の缶内の液量の減少度合いを確認するのに好都合であるが、残量が少なくなったことを警告する機能、及びドラム缶の使用方法として空のドラム缶に廃油等を入れる用途に対し、オーバーフローを警告する機能を、より鮮明にする構造とすることを課題とする。
【課題を解決するための手段】
【０００３】  上記の課題を解決するため本考案による液量計は、測定対象の液体より大きな比重を有し略垂直に保持された主浮力体と、該主浮力体を摺動自在に保持するホルダー部と、該ホルダー部に配置されて前記主浮力体を支持する弾性部材と、前記主浮力体の上部から下部までの任意の場所に設けた少なくとも１箇所の補助浮力体とからなることを特徴とする。
【０００４】  前記主浮力体は中空状パイプであり、少なくともその一端が閉止されていることが望ましい。
【０００５】  前記ホルダー部の周囲には、液量レベルを表示するレベルゲージが設けられていることが好適である。
【考案の効果】
【０００６】  主浮力体に加えて少なくとも１箇所の補助浮力体を設けることにより、液レベルが補助浮力体近傍に達した際に、主浮力体と補助浮力体との浮力の違いからレベルゲージの動きが加速されるため、容器内の液体が警告発動レベルに達したことを警告する機能をより鮮明にすることができる。
【０００７】  本考案による液量計は構造が簡単なので安いコストで製造することができる。また、前実用新案登録第３１１９０５２号記の構造の一部を変更することにより課題を解決できるので、より多くの使われ方への対応が可能である。
【考案を実施するための最良の形態】
【実施例】
【０００８】  図１は本考案による液量計の一実施例の断面図を示す。本考案による減量計の構造としては、前記実用新案登録第３１１９０５２号の浮力体１に補助浮力体９を、２個のＣリング１０で位置決めして保持している。【０００９】  本実施例における補助浮力体９は、アルミニウム等の金属でもよいし、また塩化ビニルやポリプロピレンなどのプラスチックも利用できる。補助浮力体９の大きさ、重さ、配置、高さなどは、液体の比重とのバランス及び警告発動レベルを考慮し決定することができる。【００１０】  次に、本実施例の液量計の補助浮力体９に関わる動作について説明する。浮力体１及び補助浮力体９の全体の加重は、ドラム缶等の容器内に液体が満たされている状態での最大浮力よりも大きくなるように構成されており、主浮力体１及び補助浮力体９は、液レベルの高さに応じ略垂直に摺動する。【００１１】  容器内の液体レベルが下限レベルに近づいたことを警告する場合は、補助浮力体９を浮力体１の最下部に取り付けることにより、液体レベルが補助浮力体９の上端まで下降してくると、浮力の減少度合は、補助浮力体９と主浮力体１との断面積に比例して大きくなるため主浮力体１の下降も大きくなり主浮力体１の上端部に配置されているレベルマーカー５は本液量計の保護カバーを兼ねた表示部６の○％近くまで急速に下降する。これにより容器内の液体が警告発動レベルに達したことを読み取ることが出来る。【００１２】  容器内の液体レベルが上限レベルに近づいたことを警告する場合は、補助浮力体９を主浮力体１の最上部に取り付けることにより、液体レベルが補助浮力体９の下端まで上昇してくると浮力の増加度合は、補助浮力体９と主浮力体１との断面積に比例して大きくなるため主浮力体１の上昇も大きくなり主浮力体１の上端部に配置されているレベルマーカー５は本液量計の保護カバーを兼ねた表示部６の１００％近くまで急速に上昇する。これにより容器内の液体が警告発動レベルに達したことを読み取ることが出来る。
【産業上の利用可能性】
【００１３】  本考案による補助浮力体付き液量計は、ドラム缶等内部が外から見えない容器内に残量が少なくなったことを警告すること、及び空のドラム缶に廃油等を入れる用途に対し、オーバーフローをさせない位置を確認し、環境への影響に配慮出来ること等、幅広い用途に利用可能である。
【図面の簡単な説明】
【００１４】
【図１】本考案による補助浮力体付き液量計の一実施例を示す断面図である。
【符号の説明】
【００１５】  １    主浮力体
２    弾性部材
３    容器
４    ホルダー部
５    レベルマーカー
６    表示部
７    貫通孔
８    栓
９    補助浮力体
１０  Ｃリング
【図１】
0003125988.tif 000003